(57)【要約】【課題】雨傘の使用中でも、その使用者の肩や背中、手提げ袋、背負いバッグなどの所持物が濡れることを防ぐ。【解決手段】展開状態の傘布（１４）へ外側から部分的にオーバーラップし得るほぼ二等辺三角形の膜本体（２３ａ）と、その膜本体における上記傘布の周縁部と対応位置する底辺（Ｘ１）から連続一体に張り出し延長されたほぼ四角形の垂れ膜片（２３ｂ）とを備え、上記膜本体の頂点（Ｐ）に石突（１１）への係止孔（２４）を形成すると共に、同じく膜本体の底辺に複数の露先受け入れスリット（２５）を開口分布させて、上記係止孔を雨傘の石突へ係止した後、上記露先受け入れスリットを同じく雨傘の露先（１６）へ差し込み係止させることにより、その膜本体を傘布へオーバーラップさせた使用時には、その傘布の周縁部から上記垂れ膜片が自づと折れ曲がって垂れ下がることとなるように定めた。【選択図】図１
2017012659.tif 000002
【特許請求の範囲】
【請求項１】
展開状態の傘布へ外側から部分的にオーバーラップし得るほぼ二等辺三角形の膜本体と、その膜本体における上記傘布の周縁部と対応位置する底辺から連続一体に張り出し延長されたほぼ四角形の垂れ膜片とを備え、
上記膜本体の頂点に石突への係止孔を形成すると共に、同じく膜本体の底辺に複数の露先受け入れスリットを開口分布させて、
上記係止孔を雨傘の石突へ係止した後、上記露先受け入れスリットを同じく雨傘の露先へ差し込み係止させることにより、その膜本体を傘布へオーバーラップさせた使用時には、その傘布の周縁部から上記垂れ膜片が自づと折れ曲がって垂れ下がることとなるように定めたことを特徴とする雨傘用の濡れ防止膜。
【請求項２】
膜本体の露先受け入れスリットを雨傘における親骨の長手方向に沿い延在する１条の長孔として切り欠いたことを特徴とする請求項１記載の雨傘用の濡れ防止膜。
【請求項３】
二等辺三角形に造形された膜本体の頂角を約１３５度として、その膜本体の底辺に沿い合計４個又は合計８個の露先受け入れスリットを等間隔おきに開口分布させたことを特徴とする請求項１記載の雨傘用の濡れ防止膜。
【請求項４】
石突への係止孔を膜本体と別個の弾性材から成る係止リングとして、その二等辺三角形をなす膜本体の頂点へ取り付け一体化したことを特徴とする請求項１記載の雨傘用の濡れ防止膜。
【請求項５】
膜本体とその底辺からの垂れ膜片を傘布の生地と同じ材質から作成すると共に、
夜間に光を受けて反射する蛍光帯を、上記垂れ膜片の裾部に沿って取り付けたことを特徴とする請求項１記載の雨傘用の濡れ防止膜。
【発明の詳細な説明】
【技術分野】
【０００１】
本発明は雨傘用の濡れ防止膜に関する。
【背景技術】
【０００２】
雨傘の使用中でも、その使用者の肩や背中を初め、手提げ袋や背負いバッグなどの所持物が濡れることを防ぐ用具としては、特許文献１〜４に記載の各種が提案されている。
【先行技術文献】
【特許文献】
【０００３】
【特許文献１】特開２００３−３３２１１号公報
【特許文献２】特開２００６−２４７１４９号公報
【特許文献３】特許第４１１９２２０号公報
【特許文献４】実用新案登録第３１７９３５２号公報
【発明の概要】
【発明が解決しようとする課題】
【０００４】
ところが、上記特許文献１、２に開示された傘の構成では、その濡れ防止用の雨避片（補助生地）（７）を傘布（主生地）（６）の外周縁部（６ａ）へ、縫い付けや接着、溶着、その他の材質に応じた方法によって取り付けなければならず、その取り付けた状態での特殊な傘として販売されるものであるため、使用者の必要に応じて取り付けたり、或いは取りはずしたりして、便利良く使用することができない。
【０００５】
又、上記傘布（主生地）（６）の外周縁部（６ａ）に取り付けられている雨避片（補助生地）（７）を、面ファスナー（１５）（１５）（８ａ）（８ｂ）同士の接合によって、傘布（主生地）（６）の内側へ折り返し状態に収納することができるとしても、その作業は甚だ煩らわしく、特に子供や老人にとってすばやく整然と収納することは到底不可能である。
【０００６】
更に、上記特許文献３に開示された雨傘装置の構成でも、天蓋（傘布）（３）又はその力骨（親骨）（２ｃ）にパイプ（４ａ）を固着する一方、これと係脱自在に係合するパイプ嵌入棒（４ａ’）を、エプロン片（５）の縁部へ固着しておく必要があり、上記エプロン片（５）をたとえ取りはずし携帯できるとしても、その傘本体（２）自身が特殊・高価となる。
【０００７】
この点、上記特許文献４に開示された傘用の雨漏れ防止ガードでは、傘（ｕ）自身として市販品を使え、その傘（ｕ）から遮蔽シート本体（１）を取りはずせる利点があるとしても、その遮蔽シート本体（１）の上縁に形成したフック状の連結支持部（３）を、傘骨（ｐ）と傘布との間隙へ差し込み係止させるようになっているだけであるため、傘布の周縁部（下縁部）と遮蔽シート本体（１）の上縁部との相互間に発生する継ぎ目から、雨水が遮蔽シート本体（１）の内側へ必らず落下することになり、その遮蔽シート本体（１）を設置した意味が無くなるのである。
【課題を解決するための手段】
【０００８】
本発明はこのような諸問題の改良を目的としており、その目的を達成するために、請求項１では展開状態の傘布へ外側から部分的にオーバーラップし得るほぼ二等辺三角形の膜本体と、その膜本体における上記傘布の周縁部と対応位置する底辺から連続一体に張り出し延長されたほぼ四角形の垂れ膜片とを備え、
【０００９】
上記膜本体の頂点に石突への係止孔を形成すると共に、同じく膜本体の底辺に複数の露先受け入れスリットを開口分布させて、
【００１０】
上記係止孔を雨傘の石突へ係止した後、上記露先受け入れスリットを同じく雨傘の露先へ差し込み係止させることにより、その膜本体を傘布へオーバーラップさせた使用時には、その傘布の周縁部から上記垂れ膜片が自づと折れ曲がって垂れ下がることとなるように定めたことを特徴とする。
【００１１】
又、請求項２では膜本体の露先受け入れスリットを雨傘における親骨の長手方向に沿い延在する１条の長孔として切り欠いたことを特徴とする。
【００１２】
請求項３では二等辺三角形に造形された膜本体の頂角を約１３５度として、その膜本体の底辺に沿い合計４個又は合計８個の露先受け入れスリットを等間隔おきに開口分布させたことを特徴とする。
【００１３】
請求項４では石突への係止孔を膜本体と別個の弾性材から成る係止リングとして、その二等辺三角形をなす膜本体の頂点へ取り付け一体化したことを特徴とする。
【００１４】
更に、請求項５では膜本体とその底辺からの垂れ膜片を傘布の生地と同じ材質から作成すると共に、
【００１５】
夜間に光を受けて反射する蛍光帯を、上記垂れ膜片の裾部に沿って取り付けたことを特徴とする。
【発明の効果】
【００１６】
請求項１の上記構成によれば、濡れ防止膜における膜本体の頂点位置に形成された係止孔を、雨傘の石突へ係脱自在に係止した後、その膜本体の底辺に開口分布された複数の露先受け入れスリットを、雨傘の露先へ抜き差し自在に差し込み係止させるという比較的簡単な作業により、上記濡れ防止膜を雨傘へ、その垂れ膜片が傘布の周縁部から自づと正しく垂れ下がる状態に取り付け使用することができ、使用者の必要に応じては上記濡れ防止膜を取りはずして、雨傘のそれ自身を従前どおり単独で使用することもできるため、著しく便利である。
【００１７】
しかも、濡れ防止膜を雨傘へ取り付ければ、そのほぼ二等辺三角形の膜本体が傘布を外側から被覆するオーバーラップ状態となり、その膜本体と連続一体のほぼ四角形な垂れ膜片が、傘布の周縁部から自づと折れ曲がって垂れ下がり、使用者の身体を部分的に包囲する結果となり、傘布との相互間に継ぎ目を発生することがないため、その傘布から濡れ防止膜の囲い内部へ雨水の落下するおそれはない。
【００１８】
その場合、請求項２の構成を採用するならば、雨傘における親骨の露先に長さや太さなどの相違変化があっても、その露先へ濡れ防止膜における膜本体の露先受け入れスリットを容易・確実に差し込み係止させることができ、その差し込み係止作業時の調整に役立つ。
【００１９】
請求項３の構成を採用するならば、傘布が合計８本の親骨によって８等分された雨傘である場合には、上記濡れ防止膜の膜本体に開口分布する露先受け入れスリットを合計４個とし、又傘布が合計１６本の親骨によって１６等分された雨傘である場合には、同じく濡れ防止膜の膜本体に開口分布する露先受け入れスリットを合計８個として、その何れの場合にもほぼ二等辺三角形をなす上記膜本体の頂角は約１３５度に設定することにより、使用者の身体は勿論のこと、その背負った乳幼児やランドセル、手提げ袋などの所持物を雨水の濡れから防護することができ、且つ使用者の視界も必要最小限度に確保し得る効果がある。
【００２０】
又、請求項４の構成を採用するならば、雨傘の石突に太さの相違変化があっても、濡れ防止膜における膜本体の頂点位置に形成された係止リングを、それ自身の弾力性によって石突へ容易・確実に密着させることができ、その使用中に石突から膜本体の不慮に脱落するおそれはない。
【００２１】
更に、請求項５の構成を採用するならば、夜間に通行車両などからの光を受けて反射する蛍光帯により、使用者を安全に保てる効果がある。
【図面の簡単な説明】
【００２２】
【図１】本発明の濡れ防止膜を雨傘に取り付けた状態の前方（正面）から見た斜面図である。
【図２】図１の露先部分を拡大して示す背面図である。
【図３】図２の３−３線断面図である。
【図４】上記濡れ防止膜を雨傘に取り付けた状態の背後方向から見た斜面図である。
【図５】図４の平面図である。
【図６】濡れ防止膜を抽出して示す展開正面図である。
【図７】図６の７−７線に沿う拡大断面図である。
【図８】上記濡れ防止膜の好適な変形実施形態を示す図６と対応する展開正面図である。
【図９】図８の９−９線に沿う拡大断面図である。
【図１０】図８の１０−１０線に沿う拡大断面図である。
【図１１】上記濡れ防止膜を雨傘に取り付けた使用状態の側断面図である。
【図１２】雨傘の上記濡れ防止膜も含む折りたたみ過程を示す斜面図である。
【図１３】図１２からの結束状態を示す断面平面図である。
【発明を実施するための形態】
【００２３】
以下、図面に基いて本発明の実施形態を詳述すると、図１〜５はその手開き式（非自動展開式）の雨傘を例示しており、（１０）は金属管材から成る一定長さの中棒であって、その上端部には石突（１１）と、下端部には握り柄（１２）とが各々取り付け固定されている。石突（１１）は金属材や合成樹脂材などからほぼ円柱形に形成されており、握り柄（１２）は合成樹脂材や木材などからほぼＪ字形に屈曲形成されている。
【００２４】
（１３）は上記石突（１１）と相俟って傘布（１４）の中心部を挟み付けることになる上ロクロであり、合成樹脂材から成る円盤形として、上記中棒（１０）の上端部付近に嵌め付け固定されている。傘布（１４）は透明又は半透明のビニールシートや、着色又は／及び模様が施された合成繊維（例えばポリエステルやナイロン）、綿、帆布などの織物生地から成り、撥水性や防水性が与えられている。
【００２５】
又、（１５）は上記中棒（１０）を中心とする等間隔おきでの全体的な放射対称型に分配された複数（図例では合計８本）の親骨であり、その基端部が悉く上記上ロクロ（１３）へ起伏的な回動自在に枢着されている一方、その上ロクロ（１３）から放射方向へ一定長さだけ張り出す先端部には、悉く別個な露先（１６）が差し込み套嵌されている。
【００２６】
上記親骨（１５）は金属板材から断面ほぼＵ字形に折り曲げられており、その露先（１６）は金属材や合成樹脂材などから成るキャップ形として、親骨（１５）の先端部を安全に被覆する。
【００２７】
上記傘布（１４）は親骨（１５）を外側から全体的に被覆する関係状態にあり、その周縁部が親骨（１５）の露先（１６）に悉く取り付け一体化されている。そのため、雨傘を図１、４のように展開した使用時には、その傘布（１４）が親骨（１５）によって内側からの緊張状態に支持されることとなる。
【００２８】
尚、上記露先（１６）に対する傘布（１４）の取付手段としては、傘布（１４）がビニールシートである場合これと同種の塩化ビニル樹脂製露先（１６）と溶着一体化され、又傘布（１４）が綿や合成繊維などの織物生地である場合金属製の露先（１６）と紐や糸などを介して締結される。
【００２９】
（１７）は上記中棒（１０）に沿い昇降作用する下ロクロであって、合成樹脂材からほぼ円筒形に形成されており、その径大な上端フランジ部と上記親骨（１５）の中途部とが、複数（親骨と同じ合計８本）の受け骨（１８）を介して枢支連結されている。（１９）はその下ロクロ（１７）の胴部に開口形成されたハジキ用係止孔である。
【００３０】
上記下ロクロ（１７）を操作手の指先で握り持ち乍ら、中棒（１０）に沿って押し上げた時には、雨傘の親骨（１５）が展開することとなり、逆に引き下げた時には、同じく親骨（１５）が折りたたまれることとなる。
【００３１】
（２０）（２１）はその下ロクロ（１７）を雨傘の展開状態と折りたたみ状態に各々係止固定する上下一対のハジキであって、何れも金属板材の打抜き加工片から成り、上記中棒（１０）の中空内部へ所謂挺子作用する如き弾圧付勢状態に組み込まれている。
【００３２】
つまり、両ハジキ（２０）（２１）の基端部は中棒（１０）に各々取り付け固定されており、同じく自由先端部の下ロクロ係止爪（図示符号省略）が中棒（１０）から各々常時一定高さだけ張り出し露呈するようになっている。
【００３３】
上側ハジキ（２０）は中棒（１０）に沿って押し上げられた下ロクロ（１７）のハジキ用係止孔（１９）と係止することにより、雨傘を展開状態に固定保持し、その状態にある上側ハジキ（２０）を操作手の指先により、中棒（１０）の中空内部へ押し込み沈没させて、下ロクロ（１７）を中棒（１０）に沿い引き下げれば、その下ロクロ（１７）のハジキ用係止孔（１９）が下側ハジキ（２１）と係止することになるため、雨傘の折りたたみ状態を固定保持することができる。その状態にある下側ハジキ（２１）を中棒（１０）の中空内部へ押し込み沈没させれば、上記下ロクロ（１７）を押し上げることができることは言うまでもない。
【００３４】
（２２）は上記傘布（１４）に付属一体化された結束バンドであって、着脱自在のハトメホックや面ファスナーなどを具備しており、その締結によって雨傘の折りたたみ状態を安定良く結束することができる。
【００３５】
その場合、結束バンド（２２）は傘布（１４）の生地と同じ材質から成り、図５に示唆する如く、傘布（１４）の適当個所へ縫い付けや溶着などの手段によって固着されている。
【００３６】
更に、（２３）は上記雨傘用の濡れ防止膜であって、透明又は半透明のビニールシートや、着色又は／及び模様が施された合成繊維、綿、帆布などの織物、その他の傘布（１４）の生地と同じ材質から、全体的な野球のホームベースを思わせる五角形の輪郭形状に作成されている。
【００３７】
例えば、傘布（１４）が透明のビニールシートであれば、その濡れ防止膜（２３）も透明のビニールシートとし、傘布（１４）が絵柄をカラープリントされた織物生地であれば、その濡れ防止膜（２３）も同じ絵柄をカラープリントされた織物生地とすることが好ましい。
【００３８】
即ち、上記濡れ防止膜（２３）は図６〜１０に抽出して示すように、展開状態の傘布（１４）へ外側から部分的にオーバーラップするほぼ二等辺三角形の膜本体（２３ａ）と、その膜本体（２３ａ）における上記傘布（１４）の周縁部と対応位置する底辺（Ｘ１）から、連続一体に張り出し延長されたほぼ四角形の垂れ膜片（２３ｂ）とを備えている。
【００３９】
上記二等辺三角形をなす膜本体（２３ａ）の斜辺（Ｚ）は、図４、５のように雨傘の親骨（１５）とほぼ同じ一定長さを有し、展開した雨傘の親骨（１５）とほぼ平行に延在することとなる。又、同じく膜本体（２３ａ）の頂点（Ｐ）には雨傘の上記石突（１１）へ係脱自在に係止使用される係止孔（２４）が開口形成されている。更に、膜本体（２３ａ）の底辺（Ｘ１）には上記親骨（１５）の露先（１６）を受け入れるスリット（２５）の複数が等間隔おきに開口分布されている。
【００４０】
この点、図示実施形態の雨傘では図１や図４、５から明白なように、傘布（１４）が合計８本の親骨（１５）によって８等分されており、上記濡れ防止膜（２３）の膜本体（２３ａ）がその傘布（１４）の全体に占める面積（大きさ・形状）について言えば、その膜本体（２３ａ）は傘布（１４）の少なくとも８分の３を占める面積のほぼ二等辺三角形として、その頂角（θ）が約１３５度に形成されている。
【００４１】
併せて、その膜本体（２３ａ）における傘布（１４）の周縁部と対応位置する底辺（Ｘ１）には、図４、５のような隣り合う４本の親骨（１５）に各々付属している露先（１６）の受け入れスリット（２５）が、その合計４個の何れも親骨（１５）の長手方向（上下方向）に沿い延在する１条づつの調整長孔として、等間隔おきに切り欠かれており、上記露先（１６）を受け入れやすく定められている。
【００４２】
更に言えば、上記濡れ防止膜（２３）の膜本体（２３ａ）と垂れ膜片（２３ｂ）は図８〜１０のように、親骨（１５）の長手方向（上下方向）に沿って延在する山脈のような状態に折り曲げ又は接合されており、その各山脈における膜本体（２３ａ）の底辺（Ｘ１）と親骨（１５）の露先（１６）との交叉部分だけに、一定長さの露先受け入れスリット（２５）が稜線状に切り込まれているのである。
【００４３】
そして、上記膜本体（２３ａ）の底辺（Ｘ１）から図１や図６〜８のように、ほぼ四角形の垂れ膜片（２３ｂ）が連続一体に張り出し形成されている。その膜本体（２３ａ）の底辺（Ｘ１）から張り出し垂下する垂れ膜片（２３ｂ）の縦辺（Ｙ）は、上記膜本体（２３ａ）における斜辺（Ｚ）の長さと同じか、又はこれよりも短かい一定長さに寸法化されており、傘布（１４）へのオーバーラップ状態となる膜本体（２３ａ）に対して、その外側から垂れ膜片（２３ｂ）を折り返し重合状態に結束しやすく定められている。
【００４４】
その場合、上記膜本体（２３ａ）の頂点（Ｐ）に位置する石突用の係止孔（２４）は、これを図６、７のような膜本体（２３ａ）と別個の弾性材から成る係止リングとして具体化し、その係止リング（２４）を膜本体（２３ａ）の頂点（Ｐ）へ溶着や接着、縫着などの手段によって、取り付け一体化することが好ましい。石突（１１）の太さに変化があっても、その膜本体（２３ａ）の係止リング（２４）を雨傘の石突（１１）へ、常時密着状態に安定良く係止させることができるからである。
【００４５】
又、上記垂れ膜片（２３ｂ）の裾部には図４のような夜間に通行車両（自転車も含む）などからの光を受けて反射する蛍光帯（２６）を、その横片（Ｘ２）に沿って溶着や接着、縫着などの手段によって取り付け一体化しておくことが望ましい。使用者の安全確保に役立つからである。
【００４６】
上記二等辺三角形に造形された膜本体（２３ａ）の頂角（θ）は、約１２０度〜約１８０度に設定することが望ましい。約１２０度よりも小さい角度であると、その膜本体（２３ａ）の底辺（Ｘ１）から張り出し垂下する垂れ膜片（２３ｂ）の横片（膜幅）（Ｘ２）が狭小となり、未だ使用者の身体やその背負いバッグ、手提げ袋、その他の所持物の濡れるおそれがある。他方、約１８０度よりも大きい角度であると、却って使用者の身体に巻き付いたり、使用者の視界がいたづらに狭くなったりして、降雨時の歩行に危険を招くおそれがある。この点、図示実施形態のような約１３５度に設定することが、実際上最も好ましい。
【００４７】
上記濡れ防止膜（２３）を使用するに当っては、その二等辺三角形に造形されている膜本体（２３ａ）の頂点（Ｐ）に位置する係止リング（２４）を、展開した雨傘の石突（１１）へ係脱自在に係止させた後、同じく膜本体（２３ａ）の底辺（Ｘ１）に開口分布している複数（図例では合計４個）の露先受け入れスリット（２５）を、その雨傘に対応位置する親骨（１５）の露先（１６）へ各々差し込み係止させるのである。
【００４８】
そうすれば、図１〜５や図１１のように濡れ防止膜（２３）の膜本体（２３ａ）が、雨傘の傘布（１４）を外側から二等辺三角形での部分的に被覆するオーバーラップ状態となり、その膜本体（２３ａ）における傘布（１４）の周縁部と対応位置する底辺（Ｘ１）から、上記濡れ防止膜（２３）のほぼ四角形な垂れ膜片（２３ｂ）が自づと連続的に折れ曲がって垂れ下がることとなる。
【００４９】
その結果、雨傘の握り柄（１２）を持つ使用者の身体や手提げ袋、背負いバッグなどの所持物が、上記濡れ防止膜（２３）の垂れ膜片（２３ｂ）によって一定の角度範囲（図例では約１３５度）だけ包囲されるのであり、雨水の濡れから防護することができる。
【００５０】
この点、図１１は使用者の背後方向から吹き込む風雨に対して、身体の背中やその背負った乳幼児、ランドセル、リュックサックなどの所持物を濡れから防護するために、その濡れ防止膜（２３）の垂れ膜片（２３ｂ）が雨傘における使用者の背後へ垂れ下がることとなる使用状態を示しているが、使用者の正面（前）方向や横（左右）方向から吹き込む風雨に対して、身体や抱き持った乳幼児、手提げ袋などの所持物を濡れから防護するような場合には、その濡れ防止膜（２３）の垂れ膜片（２３ｂ）が使用者の正面や側面へ垂れ下がることとなるように、その雨傘を方向変換して手持ち使用すれば良い。
【００５１】
上記濡れ防止膜（２３）を雨傘に取り付けた状態のままで、その雨傘を折りたたむ場合には、濡れ防止膜（２３）の垂れ膜片（２３ｂ）を傘布（１４）の周縁部と対応位置する膜本体（２３ａ）の底辺（Ｘ１）から外側へ折り返し、その膜本体（２３ａ）と延いては傘布（１４）を被覆する三重のオーバーラップ状態として、傘布（１４）の結束バンド（２２）により、図１２のように傘布（１４）と一緒の折りたたみ状態に安定良く結束すれば良い。
【００５２】
更に、上記濡れ防止膜（２３）はその膜本体（２３ａ）の露先受け入れスリット（２５）を、雨傘における親骨（１５）の露先（１６）から抜き出すと共に、その後膜本体（２３ａ）の係止リング（２４）を雨傘の石突（１１）から取りはずすことにより携帯することができ、雨傘だけの単独使用も行えるのである。
【００５３】
図示の実施形態としては手開き式（非自動展開式）の雨傘を説明したが、下側ハジキ（２１）を中棒（１０）の中空内部へ押し込み沈没させれば、下ロクロ（１７）が自動的に上昇して展開する所謂ジャンプ式の雨傘についても、本発明を適用することができる。
【００５４】
又、図示の実施形態では傘布（１４）が合計８本の親骨（１５）によって８等分された雨傘と、その雨傘にふさわしい濡れ防止膜（２３）の構成を説明したが、合計１０本や１２本、１６本などの親骨（１５）によって、その本数だけ細かく等分された傘布（１４）を有する雨傘についても、本発明を準用することができる。
【００５５】
その場合、親骨（１５）の本数が増加しても、これに準用する濡れ防止膜（２３）における膜本体（２３ａ）の頂角（θ）は、常に約１２０度〜約１８０度、就中約１３５度に設定することが好ましい。
【００５６】
何れにしても、上記濡れ防止膜（２３）は雨傘自身を特殊・高価に製作させるものでなく、市販されている各種の雨傘へ、使用者が必要に応じて着脱自在に取り付けることができ、その取りはずした状態での雨傘自身も従前どおりに単独使用し得るため、著しく便利である。
【符号の説明】
【００５７】
（１０）・中棒
（１１）・石突
（１２）・握り柄
（１３）・上ロクロ
（１４）・傘布
（１５）・親骨
（１６）・露先
（１７）・下ロクロ
（１８）・受け骨
（１９）・ハジキ用係止孔
（２０）・上側ハジキ
（２１）・下側ハジキ
（２２）・結束バンド
（２３）・濡れ防止膜
（２３ａ）・膜本体
（２３ｂ）・垂れ膜片
（２４）・係止孔（係止リング）
（２５）・露先受け入れスリット
（２６）・蛍光帯
（Ｐ）・頂点
（Ｘ１）・底辺
（Ｘ２）・横辺
（Ｙ）・縦辺
（Ｚ）・斜辺
（θ）・頂角
【図１】
2017012659.tif 000003
【図２】
2017012659.tif 000004
【図３】
2017012659.tif 000005
【図４】
2017012659.tif 000006
【図５】
2017012659.tif 000007
【図６】
2017012659.tif 000008
【図７】
2017012659.tif 000009
【図８】
2017012659.tif 000010
【図９】
2017012659.tif 000011
【図１０】
2017012659.tif 000012
【図１１】
2017012659.tif 000013
【図１２】
2017012659.tif 000014
【図１３】
2017012659.tif 000015